(57)【要約】【課題】本発明は、外気温が低くなっても必要最小限の出湯湯量が確保できるように、出湯温度を自動補正して貯湯タンク内に所定量の温水を貯えるようにすることを課題とする。【解決手段】本発明のヒートポンプ式給湯装置１は、貯湯タンク２内の水量を検出するためのタンク残量検出手段３０が設けられ、制御部２７は、前記外気温検出手段２８の信号および熱源機３の給湯能力に基づいて、給湯終了時間に設定湯量が貯湯タンク２に貯められるように、出湯温度を補正する給湯制御部２６を備えている。【選択図】  図１
2013190168.tif 000002
【特許請求の範囲】
【請求項１】
圧縮機および熱交換器を含むヒートポンプ構成機器を備えた熱源機と、前記熱源機で加熱された温水が供給される貯湯タンクと、外気温を検出する外気温検出手段と、前記熱源機に供給される給水の温度を検出するための給水温度検出手段と、前記熱源機から貯湯タンクに供給される出湯の温度を検出するための出湯温度検出手段と、前記貯湯タンクに供給される出湯流量を調整する出湯流量調整手段と、前記出湯流量調整手段を制御するヒートポンプ制御部を有する制御部とを備えたヒートポンプ式給湯装置において、
前記貯湯タンク内の水量を検出するためのタンク残量検出手段が設けられ、前記制御部は、前記外気温検出手段の信号および前記熱源機の給湯能力に基づいて、給湯終了時間に設定湯量が貯湯タンクに貯められるように、出湯温度を補正する給湯制御部を備えていることを特徴とするヒートポンプ式給湯装置。
【請求項２】
前記請求項１に記載のヒートポンプ式給湯装置において、前記貯湯タンクに貯められる温水の目標出湯温度が予め設定され、前記給湯制御部は、前記出湯温度が前記目標出湯温度と同等または前記目標出湯温度に近づくように、出湯流量調整手段を制御する出湯温度演算補正を行なうことを特徴とするヒートポンプ式給湯装置。
【請求項３】
前記請求項１または２に記載のヒートポンプ式給湯装置において、前記熱源機が複数台設置され、前記設定時間以外において前記貯湯タンク内の温水を使用することにより、前記貯湯タンク内の温水が、低水位である第１レベルに達した際に、予め決められた最大数の前記熱源機が稼動され、温水が前記貯湯タンクに供給されて、前記第１レベルよりも上位の第２レベルに達した際に、前記熱源機の稼動台数を減少または、前記熱源機を停止させることを特徴とするヒートポンプ式給湯装置。
【請求項４】
前記請求項２に記載のヒートポンプ式給湯装置を使用したヒートポンプ式給湯方法において、目標出湯温度を制御部に入力し、前記外気温検出手段が外気温を検出し、前記給水検出手段が前記熱源機に供給される給水の温度を検出し、出湯温度検出手段が前記熱源機から貯湯タンクに供給される出湯の温度を検出し、夜間の設定時間内において、外気温検出手段の信号および前記熱源機の給湯能力に基づいて、前記制御装置が目標出湯温度を補正し、補正された目標出湯温度で出湯するように、前記出湯流量調整手段を制御することを特徴とするヒートポンプ式給湯方法。
【請求項５】
前記請求項４に記載のヒートポンプ式給湯方法において、前記制御装置は設定時間毎に目標出湯温度の補正を行なうことを特徴とするヒートポンプ式給湯方法。
【発明の詳細な説明】
【技術分野】
【０００１】
本発明は、例えば、夜間電力を利用して貯湯するヒートポンプ式給湯装置およびヒートポンプ式給湯方法に関する。
【背景技術】
【０００２】
従来のヒートポンプ式給湯装置は、圧縮機および熱交換器を含むヒートポンプ構成機器を備えたヒートポンプ加熱源となる熱源機と、熱源機で加熱された温水が供給される貯湯タンクと、外気温を検出する外気温検出手段と、前記熱源機に供給される給水の温度を検出する給水温度検出手段と、熱源機から貯湯タンクに供給される温水の温度を検出する出湯温度検出手段と、熱源機に供給される給水流量を調整する水比例弁または水ポンプからなる出湯流量調整手段と、前記外気温検出手段、給水温度検出手段および出湯温度検出手段の信号に基づいて出湯流量調整手段を制御する制御部とを備えている。
【０００３】
そして、ヒートポンプ式給湯装置を使用して、夜間の安価な電気料金にて貯湯タンクに湯（高温水）を蓄え、日中にその高温水を利用する方法をとっている（例えば、特許文献１参照）。
【０００４】
従来のヒートポンプ式給湯装置における夜間の運転方法を図７に示す。同図において、まず、貯湯タンクに出湯する温水の目標出湯温度（ＴＴ）を入力する（Ｓ１０１）。さらに、外気温検出手段が外気温（ＴＡ）を検出し（Ｓ１０２）、給水温度検出手段が熱源機に供給される給水の温度（ＴＷ１）を検出するとともに、出湯温度検出手段が出湯温度（ＴＷ２）を検出する（Ｓ１０３）。制御部は、これら検出手段の信号に基づいて出湯流量調整手段を制御し（Ｓ１０４）、出湯温度（ＴＷ２）と目標出湯温度（ＴＴ）とが等しいか判断する（Ｓ１０５）。
【０００５】
以上のように、従来のヒートポンプ式給湯装置は、目標出湯温度が例えば、９０℃となるように、水比例弁または水ポンプ流量制御によって出湯量を調整し、出湯温度を一定に保つように制御している。そして、貯湯タンクに蓄えられた温水を、そのままの温度で給湯使用したり、あるいは、水道水と混合して適度な温度の温水として給湯使用したりして利用している。
【先行技術文献】
【特許文献】
【０００６】
【特許文献１】特開２００７−１９８６９１号公報
【発明の概要】
【発明が解決しようとする課題】
【０００７】
しかしながら、ヒートポンプ式給湯装置は、外気温によって給湯能力が変化する。特に外気温が低温になるに従い給湯能力が低下する。従って、ヒートポンプ式給湯装置の設置場所が、特に寒冷地域である場合には、夜間になると外気温の低下が顕著であるが、このように、夜間に外気温が低下すると、貯湯タンク内に温水を目標出湯温度で貯湯するには、給水流量（出湯量）を絞る必要がある。この結果、出湯量が減少することとなり、夜間契約時間内において貯湯タンクに所定量の温水を蓄えることが不可能となり、湯切れを招来するおそれがあった。
【０００８】
また、夜間に貯湯した温水が適宜給湯されて所定量まで減少すると、貯湯量を増加する追い焚き運転をする場合がある。この追い焚き運転は、高温水を迅速に供給する必要があるため、従来は、複数台の熱源機を設置しておいて、追い焚き運転の際には、全ての熱源機を同時に運転／停止していた。
【０００９】
しかしながら、全ての熱源機を同時に運転／停止する方法では、受電契約により設定されている昼間の電力デマンドを超過する場合があった。
【００１０】
本発明は、外気温が低くなっても必要最小限の出湯湯量が確保できるように、出湯温度を自動補正して貯湯タンク内に所定量の温水を貯えるようにすることを第１の課題とする。
【００１１】
また、貯湯タンクに貯えられていた温水が使用により不足すると判断した場合には、設置された場所の特性に合った最適運転台数且つ最短時間で追い炊きできることを第２の課題とする。
【課題を解決するための手段】
【００１２】
本発明のヒートポンプ式給湯装置は、圧縮機および熱交換器を含むヒートポンプ構成機器を備えた熱源機と、前記熱源機で加熱された温水が供給される貯湯タンクと、外気温を検出する外気温検出手段と、前記熱源機に供給される給水の温度を検出するための給水温度検出手段と、前記熱源機から貯湯タンクに供給される出湯の温度を検出するための出湯温度検出手段と、前記貯湯タンクに供給される出湯流量を調整する出湯流量調整手段と、前記出湯流量調整手段を制御するヒートポンプ制御部を有する制御部とを備えたヒートポンプ式給湯装置において、前記貯湯タンク内の水量を検出するためのタンク残量検出手段が設けられ、前記制御部は、前記外気温検出手段の信号および前記熱源機の給湯能力に基づいて、給湯終了時間に設定湯量が貯湯タンクに貯められるように、出湯温度を補正する給湯制御部を備えていることにある。
【００１３】
前記本発明のヒートポンプ式給湯装置は、深夜契約時間等の設定時間内において、外気温が低くなっても可及的高温の温水を貯湯タンクに所定量を溜めることができ、必要最小限の出湯湯量を確保することができる。
【００１４】
前記ヒートポンプ式給湯装置において、前記貯湯タンクに貯められる温水の目標出湯温度が予め設定され、前記給湯制御部は、前記出湯温度が前記目標出湯温度と同等または前記目標出湯温度に近づくように、出湯流量調整手段を制御する出湯温度演算補正を行なうことにある。
【００１５】
前記ヒートポンプ式給湯装置において、前記熱源機が複数台設置され、前記設定時間以外において前記貯湯タンク内の温水を使用することにより、前記貯湯タンク内の温水が、低水位である第１レベルに達した際に、予め決められた最大数の前記熱源機が稼動され、温水が前記貯湯タンクに供給されて、前記第１レベルよりも上位の第２レベルに達した際に、前記熱源機の稼動台数を減少または、前記熱源機を停止させることにある。
【００１６】
前記本発明は、設置された場所の特性に応じて、その特性に合った最適運転台数で、短時間で追い焚きすることができ、昼間の電力デマンドを超過するのを防止することができる。
【００１７】
本発明の前記ヒートポンプ式給湯装置を使用したヒートポンプ式給湯方法において、目標出湯温度を制御部に入力し、前記外気温検出手段が外気温を検出し、前記給水検出手段が前記熱源機に供給される給水の温度を検出し、出湯温度検出手段が前記熱源機から貯湯タンクに供給される出湯の温度を検出し、夜間の設定時間内において、外気温検出手段の信号および前記熱源機の給湯能力に基づいて、前記制御装置が目標出湯温度を補正し、補正された目標出湯温度で出湯するように、前記出湯流量調整手段を制御することにある。
【００１８】
前記ヒートポンプ式給湯方法において、前記制御装置は設定時間毎に目標出湯温度の補正を行なうことが好ましい。
【発明の効果】
【００１９】
本発明は、前記貯湯タンク内の水量を検出するためのタンク残量検出手段が設けられ、前記制御部は、前記外気温検出手段の信号および前記熱源機の給湯能力に基づいて、給湯終了時間に設定湯量が貯湯タンクに貯められるように、出湯温度を補正するので、深夜契約時間等の設定時間内において、外気温が低くなっても可及的高温の温水を貯湯タンクに所定量を溜めることができ、必要最小限の出湯湯量を確保することができる。
【図面の簡単な説明】
【００２０】
【図１】本発明のヒートポンプ式給湯装置の実施形態を示す概略図である。
【図２】同複数台の加熱源を備えたヒートポンプ式給湯装置の実施形態を示す概略図である。
【図３】同ヒートポンプ式給湯装置の要部電気回路のブロック図である。
【図４】同ヒートポンプ式給湯装置を使用して夜間に出湯する場合のフローチャートである。
【図５】同ヒートポンプ式給湯装置を使用して昼間に出湯する場合のフローチャートである。
【図６】同ヒートポンプ式給湯装置の性能を示す図である。
【図７】従来例を示すヒートポンプ式給湯装置を使用して夜間に出湯する場合のフローチャートである。
【発明を実施するための形態】
【００２１】
以下、本発明の一実施の形態について図面を参照しながら説明する。
【００２２】
図１〜図６は、本発明のヒートポンプ式給湯装置の一実施形態を示す。このヒートポンプ式給湯装置１は、図１および図２に示すように、貯湯タンク２と、貯湯タンク２に所定温度の高温水を供給する熱源機３とを備えている。
【００２３】
なお、本実施の形態は、複数台（３台以上）の熱源機３が設置されている場合を例示する。その１台の熱源機３を親機として設定し、この熱源機３が他の熱源機３を子機として制御する構成になっている。
【００２４】
それぞれの熱源機３は、コンプレッサー（圧縮機）１０と、凝縮機としての水加熱用熱交換器１１と、減圧器としての膨張弁１２と、送風ファン１３の送風空気から熱を奪う蒸発器としての空気用熱交換器１４とで構成されたヒートポンプ回路１８を備えている。
【００２５】
水加熱用熱交換器１１には、流入配管（低温水側配管）１５と、流出配管（高温水側配管）１６とが接続されている。そして、水道水からの低温の給水が流入配管１５を流れ、水加熱用熱交換器１１にて加熱され、加熱された高温水は、流出配管１６を流れ貯湯タンク２に適宜供給されるようになっている。なお、ヒートポンプ回路１８内には、冷媒としての二酸化炭素が用いられており、熱源機３は、低温水を約９０℃の高温まで沸き上げる運転が可能である。
【００２６】
流入配管１５には、流入配管１５を流れる給水の流量を調整する出湯流量調整手段２１が設けられている。この出湯流量調整手段２１は、水比例弁（流量調整弁）１９と、水ポンプ２０とから構成されている。なお、出湯流量調整手段２１は、水比例弁１９と水ポンプ２０との両方を備える必要はなく、何れか一方であってもよい。
【００２７】
また、熱源機３には、前記熱源機３の構成機器の駆動を制御するヒートポンプ制御部２５を有する制御部２７が設けられている。そして、ヒートポンプ制御部２５が、給水比例弁１９および水ポンプ２０等の構成機器を制御して給水流量を調整することにより、熱源機３から出湯する高温水の温度を調整する。
【００２８】
流入配管１５には、給水の温度を検出するための給水温度検出手段（給水温度センサ）２３が設けられている。流出配管１６には、出湯温度を検出するための出湯温度検出手段（出湯温度センサ）２４が設けられている。そして、各温度センサ２３、２４が検出する信号が制御部２７に送信されるようになっている。
【００２９】
ヒートポンプ制御部２５は、前記各温度センサ２３、２４の信号に基づいて出湯流量調整手段２１を制御するものである。給水比例弁１９の制御は、弁開度を０〜１００％の間で開度調整する。また、水ポンプ２０の制御は、インバータ駆動等により流量を制御する。この出湯流量調整手段２１を制御することにより、単位時間当たりの給水量（出湯量）が多くなれば、出湯温度が低下するが、反対に出湯量を少なくすることにより、出湯温度を上げることができる。
【００３０】
熱源機３の外枠（図示省略）の空気用熱交換器１４側には、外気温を検出するための外気温検出手段（外気温センサ）２８が設けられ、この外気温センサ２８が検出した信号が、制御部２７に送信されるようになっている。
【００３１】
貯湯タンク２には、タンク残量検出手段３０が設けられている。このタンク残量検出手段３０は、パイプ３１の先端が水面に着いた際に、そのときのパイプ３１内の僅かな圧力上昇を図示省略のセンサで感知して信号を出す水位計３２が採用されている。そして、パイプ長の相違する複数個の水位計３２が、貯湯タンク２内に臨むように垂下されている。なお、タンク残量検出手段３０は、貯湯タンク２底部に設けられて水圧を検出する圧力センサや、フロート等であってもよく、特に限定されるものではない。
【００３２】
また、親機の熱源機３の制御部２７には、この親機の熱源機３および子機の熱源機３に設けられた制御部２７（ヒートポンプ制御部２５）を制御するマイコンを有する給湯制御部２６が設けられている。給湯制御部２６は、前記タンク残量検出手段３０が接続されており、タンク残量検出手段３０の信号に基づいて貯湯タンク２の残量を求める。
【００３３】
また、給湯制御部２６は、設置された場所の特性に応じて、その特性に合った最適運転台数で、最短時間で追いだきできるようにしているものである。設置された場所の特性とは、電力デマンド条件、熱源機３の設置台数および貯湯タンク２容量等をいう。そして、給湯制御部２６は、電力デマンド条件および熱源機３の設置台数に基づき、最大運転台数、残湯量に応じた運転台数をパラメータとしてマイコンに設定／変更できるようになっている。
【００３４】
次に、上記のように構成されたヒートポンプ式給湯装置の動作について説明する。
【００３５】
先ず、時間帯別契約電力の電力単価が安価な深夜時間帯において、貯湯タンク２内に所定量の温水を貯める場合について説明する。深夜時間帯とは、例えば、夜間電力が利用できる午後１０時〜翌日の午前８時までの間の時間をいう。
【００３６】
ここで、熱源機３の出湯温度の計算式は以下のように示される。出湯温度＝（外気温―低温基準気温）×（高温出湯設定温度―低温出湯設定温度）／（高温基準気温―低温基準気温）＋低温出湯設定温度で示される。但し、高温出湯温度は最大９０℃で、且つ低温出湯設定温度は６０℃以上とし、それぞれの設定値は、熱源機３の性能に応じてパラメータとして任意に変更可能である。
【００３７】
図６に、熱源機３における外気温に対する給水流量（出湯量）および出湯温度の関係を示す。同図において、高温基準気温および低温基準気温は、熱源機３の運転能力により適宜設定されるものであり、例えば、高温基準気温＝１６℃、低温基準気温＝―４℃に設定する。
【００３８】
高温基準気温とは、水加熱用熱交換器１１に最大給湯能力の給水（３００Ｌ／ｈ）を流した場合、最高温度の出湯温度が得られる外気温をいう。例えば、高温基準気温が１６℃以上であれば、９０℃の高温度の出湯が可能である。低温基準気温とは、水加熱用熱交換器１１に最大給湯能力の給水を流した場合に、低温出湯設定温度（６０℃）を低下する温度をいう。
【００３９】
先ず、図４に示すように、前記出湯温度の計算式、外気温に対する出湯量および出湯温度の関係に基づいて外気温別給湯能力データ表を作成し親機制御部２７に予め入力する（Ｓ１）。さらに、当初の目標出湯温度（ＴＴ）を、例えば９０℃に設定する（Ｓ２）。かかる当初の目標出湯温度（ＴＴ）の入力は、作業者がリモコン等により適宜行なうことができる。なお、５台の熱源機３を設置した場合を例示する。
【００４０】
外気温センサ２８が外気温（ＴＡ）を検出し（Ｓ３）、その信号が制御部２７に送信される。また、給水温度センサ２３が流入配管１５を流れる給水の温度（ＴＷ１）を検出するとともに、出湯温度センサ２４が流出配管１６を流れる温水の出湯温度（ＴＷ２）を検出し、それぞれの信号が制御部２７に送信される（Ｓ４）。
【００４１】
また、タンク残量検出手段３０が貯湯タンク２の残量を検出する（Ｓ５）。昨日に使用されずに残存する温水がある場合には、その残存量を検出するためである。
【００４２】
給湯制御部２６は、タンク残量検出手段３０の信号に基づいて貯湯タンク２に残存する水量を演算する。例えば、貯湯タンク２に１０トン（１００００リットル）の温水を貯めて満タンにする場合、２トンの水が貯湯タンク２に残存していたとすると、８トンの出湯量が必要となると判断する。
【００４３】
給湯制御部２６は、目標出湯温度（ＴＴ）の補正が必要であるか否かを演算する（Ｓ６）。例えば、図６に示すように、外気温が１６℃以上においては、３００Ｌ／ｈの出湯量を維持しても、９０℃の出湯温度が得られる。５台全ての熱源機３をフル稼働させた場合に、８トンの出湯量が得られるまでの時間を求める。貯湯タンク２が満タンとなる目標出湯完了時間（給湯終了時間）を、余裕を持たせて午前７時に設定する。外気温計測時間が午後１０時であった場合、５台の熱源機３を同時に９時間（午後１０時から午前７時までの設定貯湯時間）フル稼動させると、全ての熱源機３で８トン以上（１３．５トン）の９０℃温水を出湯することが可能となる。
【００４４】
給湯制御部２６は、図４に示す計算式に基づいて、目標出湯温度（ＴＴ）の演算を行なう時点から目標出湯完了時間までの間の時間（夜間運転残時間）の総熱量と、必要貯湯湯量とを求め、これらの値から目標出湯温度（ＴＴ）を求める。
【００４５】
そして、給湯制御部２６は、夜間運転残時間内に９０℃温水を満タンにできると判断すると、当初の目標出湯温度（ＴＴ）を変更することなく、目標出湯完了時間に全体として１０トンの温水が貯湯されるように、現時点である午後１０時よりも所定時間遅れて全ての熱源機３のヒートポンプ制御部２５に沸き上げ開始指令を発する。
【００４６】
指令を受けた各熱源機３のヒートポンプ制御部２５が、熱源機３を駆動させると、送風ファン１３で大気を集め、空気熱交換器１４で大気熱を吸収、冷媒（二酸化炭素）に熱を伝える。熱を持った冷媒は圧縮機１０で圧縮され、更に高温になる。高温になった冷媒の熱を水加熱用熱交換器１１で水に伝え、湯を沸かす。熱を失った冷媒は、再び空気用熱交換器１４へ送られる。高温となった９０℃高温水が、流出配管１６を介して、貯湯タンク２に流入する。
【００４７】
所定時間経過すると、給湯制御部２６は、再び目標出湯温度（ＴＴ）の補正が必要か否かを判断する。ヒートポンプ制御部２５が沸き上げ運転を開始する前または運転中に、外気温が−４℃〜１６℃の範囲に低下した場合、熱源機３が当初の目標出湯温度（ＴＴ）へ向けて運転を行うと、外気温の低下に伴って、出湯流量が低下する（３００L/hの出湯量が確保できなくなる）。かかる場合には、出湯温度を下げてでも当初の出湯量を確保する補正が必要となる場合があるからである。
【００４８】
例えば、外気温が略９℃となった場合には、各熱源機３が３００Ｌ／ｈの出湯量を維持すると、出湯温度は略８０℃に低下することとなる。このため、給湯制御部２６は、目標出湯温度を演算し、その目標出湯温度の補正を行なう必要があるか否かを判断する。このような判断は、所定時間毎（例えば、１時間毎）に行う。
【００４９】
給湯制御部２６は、タンク残量検出手段３０の信号に基づいて、所定時間毎に必要貯湯量を求め、夜間運転残時間内において９０℃の目標出湯温度が得られるか否かを演算する。この目標出湯温度が得られると判断した場合には、給湯制御部２６は、当該目標出湯温度で出湯するようにヒートポンプ制御部２５（制御部２７）に指令を発する。ヒートポンプ制御部２５は、給湯制御部２６の指令に基づいて、出湯流量調整手段２１等の各構成部品を制御し、夜間運転残時間内で満タン（タンク容量設定値）に貯湯する。
【００５０】
仮に、所定時間経過後に、外気温が低下した場合、さらに熱源機３の給湯能力が低下する。ヒートポンプ制御部２５は、前回の目標出湯温度を維持すべく、出湯流量調整手段２１が給水流量を絞るように制御するために、夜間運転残時間内で必要貯湯量の温水を出湯することができなくなる。
【００５１】
給湯制御部２６は、再度、目標出湯温度（ＴＴ）の補正を行ない、必要貯湯量の確保を優先する。すなわち、給湯制御部２６は、夜間運転残時間内で最も高温の出湯量で満タンとなるように、前回の目標出湯温度（ＴＴ）よりも低い目標出湯温度を設定し、各熱源機３の制御部２７に指令を発する。かかる場合には、出湯温度（ＴＴ）が当初の目標温度（９０℃）以下となるが、必要貯湯量は確保することができる。
【００５２】
以下、同様にして、給湯制御部２６は、所定時間毎に目標出湯温度の補正を行ない、必要貯湯量を確保する制御を行なう。
【００５３】
また、外気温が所定温度まで低下（−４℃以下に低下）した場合においては、出湯量が３００Ｌ／ｈを維持する運転を行なうと、出湯温度が６０℃以下に低下してしまう。かかる場合には、６０℃を確保するためには、必要貯湯量を確保する制御を行なうことが困難となる場合がある。
【００５４】
そこで、６０℃の出湯を維持するように、出湯量を絞る制御をする。かかる制御により、必要貯湯量を確保できなくなるが、最低水温（６０℃）を確保することが可能となる。なお、実際の現場においては、現場の気象状況に応じて最低水温において必要貯湯量を確保できるように、熱源機３の台数が設定されている。また、熱源機３を同時に９時間（午後１０時から午前７時までの設定貯湯時間）フル稼動させても、必要貯湯量を確保することができない場合には、午前８時までの１時間を予備時間として、貯湯することも可能である。かかる場合には、給湯終了時間が午前８時となる。
【００５５】
また、外気温が上昇した場合（例えば、外気温が再び−４℃以上となった場合）にも、目標出湯温度（ＴＴ）の補正を行う。このように、前回の目標出湯温度（ＴＴ）の補正時よりも外気温が上昇した場合には、熱源機３の給湯能力が高くなっているため、可及的高温度での出湯が可能となる。
【００５６】
次に、追い炊き運転台数制御について、図５を参照しながら説明する。かかる追い炊き運転台数制御は、設置された場所の特性（電力デマンド条件、設置台数、貯湯タンク２容量等）に応じて、その特性に合った最適運転台数で、最短時間で追い炊きをする制御である。
【００５７】
運転に際しては、設置場所の電力デマンド条件、設置台数、貯湯タンク容量に基づき、残量に応じた最適運転台数をパラメータとするデータを、給湯制御部２６に入力する（Ｓ１０）。
【００５８】
さらに、目標出湯温度（ＴＴ）を設定する（Ｓ１１）。例えば、９０℃に設定する。
【００５９】
外気温センサ２８が外気温（ＴＡ）を検出し、給水温度センサ２３が流入配管１５を流れる給水の温度（ＴＷ１）を検出するとともに、出湯温度センサ２４が流出配管１６を流れる温水の出湯温度（ＴＷ２）を検出する（Ｓ１２）および（Ｓ１３）。
【００６０】
給湯制御部２６は、出湯流量調整手段２１を制御し（Ｓ１４）、出湯温度（ＴＷ２）＝目標出湯温度（ＴＴ）であるか否かを判断する（Ｓ１５）。
【００６１】
タンク残量検出手段３０がタンク残量を検出する（Ｓ１６）。タンク残量検出手段３０が、タンク残量が低水位の第１水位レベルを検出すると、前記それぞれの情報により、給湯制御部２６は短時間で追い焚きできるように、熱源機３の運転台数を決定する（Ｓ１７）。熱源機３の運転台数を決定した後に、給湯制御部２６は必要運転台数（例えば、３台の熱源機３）を指示する（Ｓ１８）。
【００６２】
給湯制御部２６は、必要台数と決定された熱源機３に、９０℃の出湯を行うように指令を発する。これにより、電力デマンド条件、設置台数、貯湯タンク容量に基づき、最大運転台数、残湯量に応じた熱源機の運転台数を制御することにより、貯湯タンク２に所定量の温水を追加する。
【００６３】
温水が前記第１レベルよりも上位の第２レベルに達した際に、前記熱源機の稼動台数を減少するか、あるいは、前記熱源機を停止させる。なお、この第２レベルは、温水を満タンにする必要はないことから、例えば貯湯タンク２の半分くらいの水位であり、適宜設定可能である。
【００６４】
以上のように、設置された場所の特性に応じて、その特性に合った最適運転台数で、短時間で追い焚きすることができ、昼間の電力デマンドを超過するのを防止することができる。
【００６５】
本発明は、前記実施の形態に限定されるものではなく、貯湯タンク２の容量や個数は、使用状況に応じて適宜設計変更自在である。
【符号の説明】
【００６６】
１          ヒートポンプ式給湯装置
２          貯湯タンク
３          ヒートポンプ加熱源（熱源機）
１０        圧縮機
１１        水加熱用熱交換器（熱交換器）
１２        膨張弁
１４        空気用熱交換器（熱交換器）
１５        流入配管（低温水側配管）
１６        流出配管（高温水側配管）
１８        ヒートポンプ回路
１９        給水比例弁（流量調整弁）
２０        水ポンプ
２１        出湯流量調整手段
２３        給水温度センサ（給水温度検出手段）
２４        出湯温度センサ（出湯温度検出手段）
２５        ヒートポンプ制御部
２６        給湯制御部
２７        制御部
２８        外気温度センサ（外気温度検出手段）
３０        タンク残量検出手段
【図１】
2013190168.tif 000003
【図２】
2013190168.tif 000004
【図３】
2013190168.tif 000005
【図４】
2013190168.tif 000006
【図５】
2013190168.tif 000007
【図６】
2013190168.tif 000008
【図７】
2013190168.tif 000009